(57)【要約】【課題】配線基板のサイズや材質、色調等に関わらず、確実に認識することが可能なコード情報を備えた配線基板およびそのコード情報を認識するコード情報の認識方法を提供すること。【解決手段】複数の絶縁層４が積層されて成る絶縁基板１を具備する配線基板１００であって、絶縁基板１の表面に、導体層から成る多数のコード情報読取パッド１１が設けられているとともに、このコード情報読取パッド１１の下方に、電気的に一体となっている共通導体１２が、表層の絶縁層を挟んで配置されており、任意のコード情報読取パッド１１と共通導体１２とが、表層の絶縁層４を貫通するビア導体１３により電気的に接続されている。【選択図】図１
2016051889.tif 000002
【特許請求の範囲】
【請求項１】
複数の絶縁層が積層されて成る絶縁基板を具備する配線基板であって、前記絶縁基板の表面に、導体層から成る多数のコード情報読取パッドが設けられているとともに、該コード情報読取パッドの下方に、電気的に一体となっている共通導体が、表層の前記絶縁層を挟んで配置されており、任意の前記コード情報読取パッドと前記共通導体とが、表層の前記絶縁層を貫通するビア導体により電気的に接続されていることを特徴とする配線基板。
【請求項２】
前記共通導体に電気的に接続されていない前記コード情報読取パッドのみがソルダーレジスト層により完全に覆われていることを特徴とする請求項１記載の配線基板。
【請求項３】
前記コード情報読取パッドの全てが前記共通導体に電気的に接続されているとともに、該コード情報読取パッドの任意のもののみがソルダーレジスト層により完全に覆われていることを特徴とする請求項１記載の配線基板。
【請求項４】
前記共通導体に電気的に接続されている前記コード情報読取パッドと、前記共通導体に電気的に接続されていない前記コード情報読取パッドとは、その形状または大きさが互いに異なっていることを特徴とする請求項１記載の配線基板。
【請求項５】
前記コード情報読取パッドが互いに集合して設けられていることを特徴とする請求項１乃至４に記載の配線基板。
【請求項６】
前記コード情報読取パッドが互いに分散して設けられていることを特徴とする請求項１乃至４に記載の配線基板。
【請求項７】
前記絶縁基板の前記表面に、半導体素子の電極端子にフリップチップ接続される多数の半導体素子接続パッドが配置されており、該半導体素子接続パッドの一部が前記コード情報読取パッドを構成していることを特徴とする請求項１乃至６のいずれかに記載の配線基板。
【請求項８】
前記請求項１乃至７のいずれかに記載の配線基板における前記コード情報読取パッドと前記共通導体との電気的な接続の有無を検出することによりコード情報を認識することを特徴とするコード情報の認識方法。
【請求項９】
前記請求項７に記載の配線基板における前記コード情報読取パッドを半導体素子の電極端子に接続するとともに、前記コード情報読取パッドと前記共通導体との電気的な接続の有無を前記半導体素子内にデータとして取り込むことによりコード情報を認識することを特徴とするコード情報の認識方法。
【発明の詳細な説明】
【技術分野】
【０００１】
本発明は、個々の配線基板の品番や製造履歴等が分るコード情報を備えた配線基板およびそのコード情報の認識方法に関するものである。
【背景技術】
【０００２】
配線基板として、半導体集積回路素子等の半導体素子を搭載するための小型の配線基板が知られている。このような小型の配線基板は、例えばエポキシ樹脂等の熱硬化性樹脂等の耐熱性電気絶縁材料から成る複数の絶縁層が積層された絶縁基板の内部および表面に銅等の良導電性材料から成る配線導体が配設されて成る。
【０００３】
絶縁基板の上面中央部は、半導体素子を搭載するための搭載部となっている。この搭載部には、配線導体の一部から成る円形の半導体素子接続パッドが格子状の並びに多数配列されている。これらの半導体素子接続パッドには、半導体素子の電極端子がフリップチップ接続により接続される。
【０００４】
他方、絶縁基板の下面は、外部電気回路基板に接続されるための外部接続面となっている。外部接続面には、その略全面にわたり配線導体の一部から成る円形の外部接続パッドが格子状の並びに多数配列されている。これらの外部接続パッドは、外部電気回路基板の配線導体に半田を介して接続される。なお、これらの半導体素子接続パッドと外部接続パッドとは、所定のもの同士が絶縁基板内部に配設された配線導体を介して互いに電気的に接続されている。
【０００５】
なお、このような配線基板においては、搭載部に半導体素子を搭載するとともに半導体素子の電極端子と半導体素子接続パッドとをフリップチップ接続し、しかる後、半導体素子と配線基板との間にアンダーフィルと呼ばれる絶縁樹脂を充填して封止することにより半導体素子が実装される。そして、この半導体素子が実装された配線基板の外部接続パッドを外部電気回路基板の配線導体に半田を介して接続することにより半導体素子が外部電気回路に電気的に接続されることとなる。
【０００６】
ところで、このような小型の配線基板においては、個々の配線基板の品番や製造履歴等を知るためのコード情報を備えたものがある。このコード情報は、例えば配線基板の表面に２次元バーコードをレーザ加工等により形成することにより付与されている。配線基板の表面に２次元バーコードをレーザ加工により形成する場合、絶縁基板表面における配線導体のない部分に２次元バーコードを構成するドットの集合体を一塊で設ける。そして、これを画像認識装置により読み取ってコード情報を認識するようにしている。
【０００７】
しかしながら近時、配線基板の益々の小型化・高密度配線化に伴い、２次元バーコードを一塊のドットの集合体で設けるのに必要な面積を絶縁基板表面に十分に確保することが困難となってきている。また、絶縁基板の表面にレーザ加工により形成した２次元バーコードは、大きなコントラストを得ることが困難であり、絶縁基板の材質や色調、あるいはレーザ加工条件によっては、画像認識装置により確実に認識できない場合があった。
【先行技術文献】
【特許文献】
【０００８】
【特許文献１】特開２００５−１６７２３５号公報
【発明の概要】
【発明が解決しようとする課題】
【０００９】
本発明は、配線基板のサイズや材質、色調等に関わらず、確実に認識することが可能なコード情報を備えた配線基板およびそのコード情報を認識するコード情報の認識方法を提供することを課題とする。
【課題を解決するための手段】
【００１０】
本発明の配線基板は、複数の絶縁層が積層されて成る絶縁基板を具備する配線基板であって、絶縁基板の表面に、導体層から成る多数のコード情報読取パッドが設けられているとともに、このコード情報読取パッドの下方に、電気的に一体となっている共通導体が、表層の絶縁層を挟んで配置されており、任意のコード情報読取パッドと共通導体とが、表層の絶縁層を貫通するビア導体により電気的に接続されていることを特徴とするものである。
【００１１】
また、本発明のコード情報の認識方法の１つは、本発明の配線基板におけるコード情報読取パッドと共通導体との電気的な接続の有無を検出することによりコード情報を認識することを特徴とするものである。
【００１２】
また、本発明のコード情報の認識方法の他の１つは、本発明の配線基板において、絶縁基板の表面に、半導体素子の電極端子にフリップチップ接続される多数の半導体素子接続パッドを配置するとともに、この半導体素子接続パッドの一部でコード情報読取パッドを構成し、このコード情報読取パッドを半導体素子の電極端子に接続するとともにコード情報読取パッドと共通導体との電気的な接続の有無を半導体素子内にデータとして取り込むことによりコード情報を認識することを特徴とするものである。
【発明の効果】
【００１３】
本発明の配線基板によれば、絶縁基板の表面に、導体層から成る多数のコード情報読取パッドが設けられているとともに、コード情報読取パッドの下方に、電気的に一体となっている共通導体が、表層の絶縁層を挟んで配置されており、任意のコード情報読取パッドと共通導体とが、表層の絶縁層を貫通するビア導体により電気的に接続されていることから、コード情報読取パッドと共通導体との電気的な接続の有無を検出することにより、絶縁基板の材質や色調に関わりなくコード情報を確実に認識することができる。さらに多数のコード情報読取パッドを互いに集合して設けるのに必要な面積を絶縁基板上に確保できない場合であっても、コード情報読取パッドを絶縁基板上に分散して設けて、これらのコード情報読取パッドと共通導体との電気的な接続の有無を検出することによりコード情報を確実に認識することができる。
【００１４】
また、本発明のコード情報の認識方法の１つによれば、コード情報読取パッドと共通導体との電気的な接続の有無を検出することによりコード情報を認識することから、絶縁基板の材質や色調に関わりなくコード情報を確実に認識することができる。さらに多数のコード情報読取パッドを互いに集合して設けるのに必要な面積を絶縁基板上に確保できない場合であっても、コード情報読取パッドを絶縁基板上に分散して設けて、これらのコード情報読取パッドと共通導体との電気的な接続の有無を検出することによりコード情報を確実に認識することができる。
【００１５】
また、本発明のコード情報の認識方法の他の１つによれば、絶縁基板の表面に、半導体素子の電極端子にフリップチップ接続される多数の半導体素子接続パッドを配置するとともに、この半導体素子接続パッドの一部でコード情報読取パッドを構成し、このコード情報読取パッドを半導体素子の電極端子に接続するとともにコード情報読取パッドと共通導体との電気的な接続の有無を半導体素子内にデータとして取り込むことによりコード情報を認識することから、絶縁基板の材質や色調に関わりなくコード情報を確実に認識することができる。さらに多数のコード情報読取パッドを互いに集合して設けるのに必要な面積を絶縁基板上に確保できない場合であっても、コード情報読取パッドを半導体素子接続パッドの中に分散して設けて、これらのコード情報読取パッドと共通導体との電気的な接続の有無を検出することによりコード情報を確実に認識することができる。
【図面の簡単な説明】
【００１６】
【図１】図１（ａ）は、本発明の配線基板における実施形態の一例を示す概略断面図であり、図１（ｂ）はその概略上面図である。
【図２】図２（ａ）は、本発明の配線基板における実施形態の別の例を示す概略断面図であり、図２（ｂ）はその概略上面図である。
【図３】図３（ａ）は、本発明の配線基板における実施形態の更に別の例を示す概略断面図であり、図３（ｂ）はその概略上面図である。
【図４】図４（ａ）は、本発明の配線基板における実施形態の変更例を示す概略断面図であり、図４（ｂ）はその概略上面図である。
【図５】図５（ａ）は、本発明の配線基板における実施形態の別の変更例を示す概略断面図であり、図５（ｂ）はその概略上面図である。
【発明を実施するための形態】
【００１７】
次に、本発明における実施形態の一例を添付の図１（ａ），（ｂ）を基に説明する。
【００１８】
図１（ａ）に示すように、本例の配線基板１００は、絶縁基板１と配線導体２とを備えている。絶縁基板１は、ガラス織物に熱硬化性樹脂を含浸させて成るコア用の絶縁板３の上下面に熱硬化性樹脂から成る絶縁層４を複数層ずつ積層して成る。さらに最表層の絶縁層４上にソルダーレジスト層５が積層されている。
【００１９】
絶縁基板１の上面中央部には半導体素子Ｓが搭載される搭載部Ａが形成されている。この搭載部Ａには、多数の半導体素子接続パッド６が配線導体２の一部により形成されている。半導体素子接続パッド６には、半導体素子Ｓの電極端子Ｔがフリップチップ接続により電気的に接続される。
【００２０】
他方、絶縁基板１の下面は、外部電気回路基板に接続するための外部接続面となっている。絶縁基板１の下面には、多数の外部接続パッド７が配線導体２の一部により形成されている。外部接続パッド７は、外部電気回路基板の配線導体に半田を介して電気的に接続される。
【００２１】
絶縁板３は、例えばガラス繊維束を縦横に織り込んだガラス織物にエポキシ樹脂等の熱硬化性樹脂を含浸させた電気絶縁材料から成る。絶縁板３は、その上面から下面にかけて直径が０．１〜１ｍｍ程度の複数のスルーホール８を有している。そして、その上下面および各スルーホール８の内面には配線導体２の一部が被着されている。
【００２２】
このような絶縁板３は、ガラス織物に未硬化の熱硬化性樹脂を含浸させた絶縁シートを熱硬化させた後、これに上面から下面にかけてドリル加工を施すことにより製作される。なお、絶縁板３上下面の配線導体２は、絶縁板３用の絶縁シートの上下全面に厚みが３〜５０μｍ程度の銅箔を貼着しておくとともに、この銅箔をシートの硬化後にエッチング加工することにより所定のパターンに形成される。また、スルーホール８内面の配線導体２は、絶縁板３にスルーホール８を設けた後に、このスルーホール８内面に無電解めっき法および電解めっき法により厚みが３〜５０μｍ程度の銅めっき膜を析出させることにより形成される。
【００２３】
さらにスルーホール８の内部には、エポキシ樹脂等の熱硬化性樹脂から成る孔埋め樹脂９が充填されている。孔埋め樹脂９は、スルーホール８を塞ぐことにより、スルーホール８の直上および直下に配線導体２および各絶縁層４を形成可能とするためのものである。このような孔埋め樹脂９は、未硬化のペースト状の熱硬化性樹脂をスルーホール８内にスクリーン印刷法により充填し、それを熱硬化させた後、その上下面を平坦に研磨することにより形成される。そして、この孔埋め樹脂９を含む絶縁板３の上下面に複数の絶縁層４が積層されている。
【００２４】
絶縁板３の上下面に積層された各絶縁層４は、エポキシ樹脂等の熱硬化性樹脂から成る。絶縁層４は、厚みが２０〜６０μｍ程度であり、各層の上面から下面にかけて直径が３０〜１００μｍ程度の複数のビアホール１０を有している。これらの絶縁層４は、配線導体２を高密度に配線するための絶縁間隔を提供するためのものである。そして、上層の配線導体２と下層の配線導体２とをビアホール１０を介して電気的に接続することにより、立体的な高密度配線が形成可能となっている。このような絶縁層４は、未硬化の熱硬化性樹脂から成る絶縁フィルムを下層の絶縁板３または絶縁層４の表面に貼着し、これを熱硬化させるとともにレーザ加工によりビアホール１０を穿孔することによって形成される。なお、各絶縁層４の表面およびビアホール１０内に被着された配線導体２は、各絶縁層４を形成する毎に各絶縁層４の表面およびビアホール１０内に５〜５０μｍ程度の厚みの銅めっき膜を公知のセミアディティブ法等のパターン形成法により所定のパターンに被着させることによって形成される。
【００２５】
最表層の絶縁層４上に積層されたソルダーレジスト層５は、エポキシ樹脂等の熱硬化性樹脂から成る。上面側のソルダーレジスト層５は、半導体素子接続パッド６を露出させる開口部を有している。下面側のソルダーレジスト層５は、外部接続パッド７を露出させる開口部を有している。ソルダーレジスト層５は、最表層の絶縁層４上に形成された配線導体２を外部から保護するとともに最表層の絶縁層４上に形成された配線導体２同士の電気的な絶縁信頼性を良好に確保するための保護部材として機能する。ソルダーレジスト層５は、例えばアクリル変性エポキシ樹脂等の感光性を有する熱硬化性樹脂を含むペーストまたはフィルムを最表層の絶縁層４上に積層するとともに、そのペーストまたはフィルムを所定のパターンに露光および現像した後、熱硬化させることにより形成される。
【００２６】
半導体素子接続パッド６は、図１（ｂ）に示すように、円形であり、搭載部Ａに格子状の並びに配列されている。半導体素子接続パッド６の直径は、５０〜１００μｍ程度である。半導体素子接続パッド６の配列ピッチは、１００〜２００μｍである。この半導体素子接続パッド６は、最上層の絶縁層４上に形成された配線導体２の一部を、ソルダーレジスト層５に設けた直径が５０〜１００μｍの円形の開口部内に露出させることにより形成されている。
【００２７】
他方、絶縁基板１の下面に形成された外部接続パッド７は、直径が２００〜５００μｍ程度の円形である。外部接続パッド７は、絶縁基板１下面の略全領域にわたり４００〜１０００μｍの配列ピッチで格子状の並びに形成されている。外部接続パッド７は、最下層の絶縁層４上に形成された配線導体２の一部を、ソルダーレジスト層５に設けた直径が２００〜５００μｍの円形の開口部内に露出させることにより形成されている。
【００２８】
さらに、絶縁基板１の上面には、コード情報読取パッド１１が形成されている。なお、図１（ｂ）においては、半導体素子接続パッド６との区別を容易とするためにコード情報読取パッド１１を黒の塗りつぶしで表示している。コード情報読取パッド１１は、配線導体２と同じ導体層から形成されている。コード情報読取パッド１１は、半導体素子接続パッド６と同様に直径が５０〜１００μｍ程度の円形である。コード情報読取パッド１１は、絶縁基板１の表面の一角に、例えば１００〜２００μｍの配列ピッチで格子状の並びに集合して形成されている。これらのコード情報読取パッド１１は、ソルダーレジスト層５に設けた直径が５０〜１００μｍの円形の開口部内に露出されている。
【００２９】
コード情報読取パッド１１の下方には、表層の絶縁層４を挟んで共通導体１２が配置されている。共通導体１２は、配線導体２と同じ導体層から形成されている。共通導体１２は、全てのコード情報読取パッド１１の直下に位置するように電気的に一体となったパターンにより形成されている。
【００３０】
そして、任意のコード情報読取パッド１１と共通電極１２とが、表層の絶縁層４を貫通するビア導体１３により電気的に接続されている。どのコード情報読取パッド１１が共通電極１２に電気的に接続されるかは、個々の配線基板１００により異なっている。それにより、個々の配線基板１００に固有のコード情報が付与される。そして、各コード情報読取パッド１１に電気検査装置のプローブを接触させて各コード情報読取パッド１１と共通導体１２との電気的な接続の有無を検出することにより、個々の配線基板１００のコード情報を認識する。
【００３１】
このように、本例によれば、絶縁基板１の表面に、導体層から成る多数のコード情報読取パッド１１が設けられているとともに、コード情報読取パッド１１の下方に、電気的に一体となっている共通導体１２が、表層の絶縁層４を挟んで配置されており、任意のコード情報読取パッド１１と共通導体１２とが、表層の絶縁層４を貫通するビア導体１３により電気的に接続されていることから、コード情報読取パッド１１と共通導体１２との電気的な接続の有無を検出することにより、絶縁基板１の材質や色調に関わりなくコード情報を確実に認識することができる。
【００３２】
なお、本例の配線基板１００においては、コード情報読取パッド１１を絶縁基板１の表面の一角に集合して形成していることから、各コード情報読取パッド１１に電気検査装置のプローブを接触させて各コード情報読取パッド１１と共通導体１２との電気的な接続の有無を検出する際、例えば、各コード情報読取パッド１１に一括して接触する方式のプローブを用いる場合であれば、そのプローブを小型化することができる。また各コード情報読取パッド１１に対して個別に順次接触する方式のプローブを用いる場合であれば、プローブの移動距離を短いものとして検出時間を短いものとすることができる。
【００３３】
次に、本発明における実施形態の別の例を図２（ａ）、（ｂ）を基に説明する。なお、この例において、上述した配線基板１００と同様の箇所には同様の符号を付し、その詳細な説明は省略する。
【００３４】
図２（ａ），（ｂ）に示す配線基板２００においては、上述した配線基板１００と比較して、コード情報読取パッド１１の配置が異なっている。この配線基板２００においては、コード情報読取パッド１１は、絶縁基板１の表面の広い範囲にわたり分散して設けられている。その他は、上述した配線基板１００と同様の構成となっている。
【００３５】
このように、本例の配線基板２００においては、コード情報読取パッド１１を絶縁基板１の表面に分散して設けることによって、多数のコード情報読取パッド１１を互いに集合して設けるのに必要な面積を絶縁基板１上に確保できない場合であっても、これらのコード情報読取パッド１１と共通導体１２との電気的な接続の有無を検出することによりコード情報を確実に認識することができる。
【００３６】
次に、本発明における実施形態の更に別の例を図３（ａ）、（ｂ）を基に説明する。なお、この例において、上述した配線基板１００，２００と同様の箇所には同様の符号を付し、その詳細な説明は省略する。
【００３７】
図３（ａ），（ｂ）に示す配線基板３００においては、上述した配線基板１００，２００と比較して、コード情報読取パッド１１の配置が異なっている。この配線基板３００においては、コード情報読取パッド１１は、半導体素子接続パッド６の一部により構成されている。その他は、上述した配線基板１００，２００と同様の構成となっている。
【００３８】
このように、本例の配線基板３００においては、コード情報読取パッド１１が半導体素子接続パッド６の一部で構成されていることから、このコード情報読取パッド１１を半導体素子Ｓの電極端子Ｔに接続するとともに、コード情報読取パッド１１と共通導体１２との電気的な接続の有無を半導体素子Ｓ内にデータとして取り込むことによりコード情報を認識することができる。したがって、絶縁基板１の材質や色調に関わりなくコード情報を確実に認識することができる。
【００３９】
さらに、この場合、半導体素子Ｓ内にデータとして取り込まれたコード情報をコンピュータシステムで処理することにより種々の管理を極めて容易に行うことが可能となる。
【００４０】
なお、この例におけるコード情報読取パッド１１は、半導体素子接続パッド６の配列の一角に集合して設けられたり、配列の全体に分散して設けられたりしてもよい。
【００４１】
以上、本発明の実施形態例について説明したが、本発明は上述した実施形態例に限定されるものではなく、本発明の要旨を逸脱しない範囲であれば、種々の変更は可能である。
【００４２】
例えば、上述した実施形態例では、コード情報読取パッド１１の全てをソルダーレジスト層５に設けた開口部内に露出させていたが、図４に示すように、共通導体１２に電気的に接続されていないコード情報読取パッド１１のみをソルダーレジスト層５で完全に覆ってもよい。この場合、コード情報読取パッド１１と共通導体１２との電気的な接続の有無を検出する以外に、コード情報読取パッド１１上のソルダーレジスト層５の有無を画像認識装置により読み取ることによりコード情報を認識することが可能となる。
【００４３】
また、図５に示すように、コード情報読取パッド１１の全てを共通導体１２に電気的に接続しておくとともに、任意のコード情報読取パッド１１のみをソルダーレジスト層５で完全に覆ってもよい。この場合も、コード情報読取パッド１１と共通導体１２との電気的な接続の有無を検出する以外に、コード情報読取パッド１１上のソルダーレジスト層５の有無を画像認識装置により読み取ることによりコード情報を認識することが可能となる。
【００４４】
さらに、例えば上述の実施形態例では、コード情報読取パッド１１は、全て同じ大きさの円形であったが、共通導体１２に電気的に接続されたコード情報読取パッド１１と、共通導体１２に電気的に接続されていないコード情報読取パッド１１とで、その形状または大きさを互いに異なるものとしても良い。この場合も、コード情報読取パッド１１と共通導体１２との電気的な接続の有無を検出する以外に、コード情報読取パッド１１の形状や大きさの違いを画像認識装置により読み取ることによりコード情報を認識することが可能となる。
なお、これらの変更例は、図１〜図３に示した実施形態例の全てに適用できることは言うまでもない。
【符号の説明】
【００４５】
１・・・絶縁基板
４・・・絶縁層
５・・・ソルダーレジスト層
６・・・半導体素子接続パッド
１１・・・コード情報読取パッド
１２・・・共通導体
１３・・・ビア導体
Ｓ・・・半導体素子
Ｔ・・・電極端子
【図１】
2016051889.tif 000003
【図２】
2016051889.tif 000004
【図３】
2016051889.tif 000005
【図４】
2016051889.tif 000006
【図５】
2016051889.tif 000007